(57)【要約】      （修正有）【課題】簡単に、アクセサリを衣類に取付けることができるアクセサリ取付装置を提供する。【解決手段】第１取付具の軸部材３外周３ａを繊維生地Ｚａで被覆して被覆繊維生地部分ＺａＰを形成する。被覆繊維生地部分ＺａＰ、及び被覆繊維生地部分ＺａＰで被覆した軸部材３を押付部材５の装着溝穴６内に装着し、被覆繊維生地部分ＺａＰで被覆した軸部材３を取外自在に保持する。第２取付具２等の取付具は、装着溝穴６において、軸部材３外周３ａ及び押付部材５で挟み込んで、アクセサリ７を衣類Ｚに取付ける。【選択図】図５
0003176650.tif 000002
【実用新案登録請求の範囲】
【請求項１】
繊維生地で形成される衣類において、
前記衣類にアクセサリを取付けるアクセサリ取付装置であって、
［Ａ］軸部材で構成され、
前記軸部材外周を前記繊維生地の裏面に当接し、前記軸部材外周を前記繊維生地で被覆して被覆繊維生地部分を形成する、第１取付具と、
［Ｂ］前記アクセサリ、押付部材、及び押付部材に形成される装着溝穴を有し、
前記被覆繊維生地部分、及び前記被覆繊維生地部分で被覆した前記軸部材を前記装着溝穴内に装着して、前記被覆繊維生地部分で被覆した前記軸部材を取外自在に保持する、第２取付具と、
を備え、
［Ｃ］前記第１及び第２取付具は、
前記装着溝穴において、前記軸部材外周及び前記押付部材で前記被覆繊維生地部分を挟み込んで、前記アクセサリを前記衣類に取付ける、
ことを特徴とするアクセサリ取付装置。
【請求項２】
［Ｄ］前記第２取付具は、複数で構成され、
前記被覆繊維生地部分、及び前記被覆繊維部分で被覆した前記軸部材を前記各第２取付具の前記装着溝穴内に夫々装着してなる、
ことを特徴とする請求項１に記載のアクセサリ取付装置。
【請求項３】
［Ｅ］前記軸部材は、柔軟性弾性素材で形成される、
ことを特徴とする請求項１又は２に記載のアクセサリ取付装置。
【請求項４】
［Ｆ］前記軸部材は、丸ゴム紐でなる、
ことを特徴とする請求項１又は２に記載のアクセサリ取付装置。
【考案の詳細な説明】
【技術分野】
【０００１】
本考案は、アクセサリ（装飾品）を衣類に取付けるアクセサリ取付装置に関する。
【背景技術】
【０００２】
近年、アクセサリ（装飾品）を衣類の表面に取付けることで、衣類の装飾性、デザイン性を高めることが提案されている。
【０００３】
アクセサリの取付技術として、特許文献１は、アクセサリ類を配置する雄側部材、及び雌側部材を備えるアクセサリ類取付具を開示する。アクセサリ類取付具は、雄側部材及び雌側部材で靴下等の被装着物を挟み込むことで、アクセサリ類を靴下の表面に取付ける。具体的には、雄側部材の係合部を被装着物の表側から押付けることで、被装着物を表側から裏側に押出して、雌側部材の穴内に係合部及び被装着物を挿入する。続いて、雄側部材の軸部、及び雌側部材の複数の係合片で被装着物を挟み込むことで、アクセサリ類を被装着物に取付ける。
【０００４】
しかしながら、特許文献１に開示する技術では、雌側部材をやや傾斜させた状態にして、雄側部材の係合部及び被装着物を雌側部材内に挿入する必要があるため、アクセサリ類を簡単に取付けることができない。
【先行技術文献】
【特許文献】
【０００５】
【特許文献１】特開２００５−９５２２８号公報
【考案の概要】
【考案が解決しようとする課題】
【０００６】
本考案は、簡単に、アクセサリを衣類の表面に取付けることができるアクセサリ取付装置を提供することにある。
【課題を解決するための手段】
【０００７】
本考案に係る請求項１は、繊維生地で形成される衣類において、前記衣類のアクセサリを取付けるアクセサリ取付装置であって、［Ａ］軸部材で構成され、前記軸部材外周を前記繊維生地の裏面に当接し、前記軸部材外周を前記繊維生地で被覆して被覆繊維生地部分を形成する、第１取付具と、［Ｂ］前記アクセサリ、押付部材、及び押付部材に形成される装着溝穴を有し、前記被覆繊維生地部分、及び前記被覆繊維生地部分で被覆した前記軸部材を前記装着溝穴内に装着して、前記被覆繊維生地部分で被覆した前記軸部材を取外自在に保持する、第２取付具と備え、［Ｃ］前記第１及び第２取付具は、前記装着溝穴において、前記軸部材外周及び前記押付部材で前記被覆繊維生地部分を挟み込んで、前記アクセサリを前記衣類に取付ける、ことを特徴とするアクセサリ取付装置に関する。
【０００８】
本考案に係る請求項２は、［Ｄ］前記第２取付具は、複数で構成され、前記被覆繊維生地部分、及び前記被覆繊維生地部分で被覆した前記軸部材を前記各第２取付具の前記装着溝穴内に夫々装着してなる、ことを特徴とする請求項１に記載のアクセサリ取付装置に関する。
【０００９】
本考案に係る請求項３は、［Ｅ］前記軸部材は、柔軟性弾性素材で形成される、ことを特徴とする請求項１又は２に記載のアクセサリ取付装置に関する。
【００１０】
本考案に係る請求項４は、［Ｆ］前記軸部材は、丸ゴム紐でなる、ことを特徴とする請求項１又は２に記載のアクセサリ取付装置に関する。
【考案の効果】
【００１１】
本考案に係る請求項１では、被覆繊維生地部分、及び被覆繊維生地部分で被覆した軸部材外周を装着溝穴内に装着し、第１取付具の軸部材外周及び第２取付具の押付部材で被覆繊維生地部分を挟み込むことで、アクセサリを衣類の表面に取付けることができるので、アクセサリの取付は簡単となる。
また、被覆繊維生地部分、及び被覆繊維生地部分で被覆した軸部材を押付部材の装着溝穴内に装着すると、第２取付具は被覆繊維生地部分で被覆した軸部材を保持して、第１取付具及び第２取付具を一体化するので、第２取付具のアクセサリは軸部材から容易に外されず、これにより衣類から容易に外れることを防止できる。
【００１２】
本考案に係る請求項２では、複数のアクセサリを衣類の表面に取付けるこができる。
【００１３】
本考案に係る請求項３では、軸部材を柔軟性弾性素材で形成するので、軸部材は任意の曲線形状に変形できる。
これにより、１又は複数のアクセサリは、軸部材の曲線形状に沿って衣類に取付けることができ、アクセサリの軸部材の曲線形状に沿った配列／配置によって衣類の装飾効果を高めることが可能となる。
また、軸部材は、円環状、星型環状等の環状形状に曲線変形し、又は２本の軸部材を用いて十字状等に形成でき、これにより、複数のアクセサリは、軸部材の環状形状又は十字形状等に沿って配列／配置して、衣類の表面に取付けることができる。
【００１４】
本考案に係る請求項４では、汎用品である丸ゴム紐を用いて、アクセサリを衣類の表面に取付けることができる。
【図面の簡単な説明】
【００１５】
【図１】アクセサリ取付装置を示す正面図である。
【図２】アクセサリ取付装置を構成する第１取付具を示す図であって、（ａ）は正面図、（ｂ）は側面図である。
【図３】アクセサリ取付装置を構成する第２取付具を示す図であって、（ａ）は上面図、（ｂ）は図２（ａ）のＡ−Ａ矢視正面図、（ｃ）は図２（ｂ）のＢ−Ｂ矢視側面図、（ｄ）は図２（ａ）のＣ−Ｃ断面図である。
【図４】第１取付具（軸部材）を繊維生地の裏面に配置した図であって、（ａ）は軸部材を繊維生地の裏面に当接させた状態を示す正面図、（ｂ）は軸部材を繊維生地で被覆した状態を示す正面図、（ｃ）は図４（ｂ）のＤ−Ｄ矢視上面図である。
【図５】第２取付具を第１取付具（軸部材）に装着する手順を示す図であって、（ａ）は第２取付具を被覆繊維生地部分の表面に配置した状態を示す正面図、（ｂ）は第２取付具を被覆繊維生地部分（軸部材外周）に押付けた状態を示す正面図、（ｃ）は第２取付具の装着溝内に第１取付具（軸部材）を装着した状態を示す正面図である。
【図６】第２取付具を第１取付具（軸部材）に装着する手順を示す図であって、（ａ）は図５（ｃ）のＥ−Ｅ矢視上面図、（ｂ）は図６（ａ）のＦ−Ｆ矢視側面図である。
【図７】複数の第２取付具（アクセサリ）を第１取付具（軸部材）に配置した状態を示す図であって、（ａ）は上面図、（ｂ）は図７（ａ）のＧ−Ｇ矢視側面図である。
【図８】第１取付具（軸部材）の変形例を示す図であって、（ａ）は円環状の上面図（ｂ）は十字形状の上面図である。
【図９】下肢、下肢衣類及びアクセサリ取付装置の関係を示す図である
【考案を実施するための形態】
【００１６】
本考案に係るアクセサリ取付装置について、図１乃至図９を参照して説明する。
図１乃至図９において、アクセサリ取付具（Ｘ）は、アクセサリ（７）を衣類（Ｚ）に取付ける（図９参照）。
アクセサリ取付装置（Ｘ）は、図１乃至図３に示すように、第１取付具（１：雄側取付具）、及び第２取付具（２：雌側取付具）を備えている。
【００１７】
図１及び図２において、第１取付具（１）は、軸部材（３）で構成される。軸部材（３）は、柔軟性弾性素材で形成される、柔軟性弾性素材は、シリコンゴム、フッ素ゴムを含む合成ゴムでなる。
軸部材（３）は、例えば断面円形に形成され、直径：Ｄ１（外径）及び軸長：Ｌ１に設定される。
軸部材（３）としては、汎用品である丸ゴム紐を使用できる（以下、「丸ゴム紐（３）」と称する）。
【００１８】
第１取付具（１）は、丸ゴム紐（３）外周（３ａ）を衣類（Ｚ）の繊維生地（Ｚａ）の裏面（Ｚ２）に当接し、丸ゴム紐（３）外周（３ａ）を繊維生地（Ｚａ）で被覆して被覆繊維生地部分（Ｚａｐ）を形成する（図４参照）。
【００１９】
図１及び図３において、第２取付具（２）は、押付部材（５）、装着溝穴（６）及びアクセサリ（７）を有する。
【００２０】
押付部材（５）は、弾性素材で形成される。弾性素材は合成樹脂でなる。
押付部材（５）は、図３に示すように、断面矩形軸に形成され、軸長：Ｌ２に設定される。押付部材（５）は、軸方向（Ｌ）に第１軸端（５ａ）及び第２軸端（５ｂ）を有する。また、押付部材（５）は、複数（一対）の保持突起（５Ａ）、（５Ａ）を有している。
押付部材（５）の軸長：Ｌ２は、軸長：Ｌ２＜丸ゴム紐（３）の軸長：Ｌ１の関係である。
【００２１】
装着溝穴（６）は、押付部材（５）に形成される。装着溝穴（６）は、図１及び図３に示すように、円形溝穴（６Ａ）及び開口溝穴（６Ｂ）で構成される。
円形溝穴（６Ａ）は、押付部材（５）の第１及び第２軸端（５ａ）、（５ｂ）に開口し、押付部材（５）の軸方向（Ｌ）で押付部材（５）を挿通（貫通）している。円形溝穴（６Ａ）は、直径：Ｄ２（内径）に設定される。
【００２２】
円形溝穴（６Ａ）の直径：Ｄ２は、例えば直径：Ｄ２≦丸ゴム紐（１）の直径：Ｄ１（外径）の関係である。また、円形溝穴（６Ａ）の直径：Ｄ２、及び丸ゴム紐（３）の直径：Ｄ１は、被覆繊維生地部分（Ｚａｐ）で被覆した丸ゴム紐（３）を円形溝穴（６Ａ）内に装着できる関係である。
【００２３】
開口溝穴（６Ｂ）は、図３に示すように、押付部材（５）の第１及び第２軸端（５ａ）、（５ｂ）に開口し、軸方向（Ｌ）で押付部材（５）を挿通（貫通）している。
また、開口溝穴（６Ｂ）は、軸方向（Ｌ）に直交する方向（Ｈ）において、押付部材（５）の側端（５ｃ）に開口し、円形溝穴（６Ａ）内に連通される。
開口溝穴（６Ｂ）は、溝穴幅：Ｈ１に設定され、押付部材（５）の各保持突起（５Ａ）、（５Ａ）を形成する。
各保持突起（５Ａ）、（５Ａ）は、開口溝穴（６Ｂ）内に突出し、押付部材（５）の軸方向（Ｌ）に渡って延設される。各保持突起（５Ａ）、（５Ａ）は、溝穴幅：Ｈ１を隔てて相互に対峙される。
開口溝穴（６Ｂ）の溝穴幅：Ｈ１は、溝穴幅：Ｈ１＜円形溝穴（６Ａ）の直径：Ｄ２（内径）の関係である。また、開口溝穴（６Ｂ）の溝穴幅：Ｈ１、及び丸ゴム紐（３）の直径：Ｄ１は、被覆繊維生地部分（Ｚａｐ）で被覆した丸ゴム紐（１）を弾性変形しつつ円形溝穴（６Ａ）内に装着でき、又は各保持突起（５Ａ）、（５Ａ）を相互に離間する方向（Ｒ）へ弾性変形しつつ被覆繊維生地部分（Ｚａｐ）で被覆した丸ゴム紐（１）を円形溝穴（６Ａ）内に装着できる関係である。
【００２４】
アクセサリ（７）は、例えば、円形ドーム状に形成される。アクセサリ（７）は、押付部材（５）の側端（５ｃ）に対峙して配置され、押付部材（５）の側端（５ｄ）に固定される。
アクセサリ（７）は、貴金属、宝石等の宝飾品、ブローチ等を含む装飾品である。
【００２５】
第２取付具（２）は、被覆繊維生地部分（Ｚａｐ）、及び被覆繊維生地部分（Ｚａｐ）で被覆した丸ゴム紐（３）を装着溝穴（６）内に装着して、各保持突起（５Ａ）、（５Ａ）で被覆繊維生地部分（Ｚａｐ）で被覆した丸ゴム紐（３）を取外自在に保持する（図５参照）。
【００２６】
図９において、アクセサリ取付装置（Ｘ）は、アクセサリ（７）を衣類（Ｚ）に取付ける。
衣類（Ｚ）には、下肢衣類があり、下肢衣類は、例えば、下肢（Ｙ）全体を被覆するパンティーストッキングである。下肢衣類であるパンティーストッキング（Ｚ：以下「パンティーストッキング（Ｚ：下肢衣類）」と称する）は、例えば、伸縮性の繊維生地で形成される。
なお、下肢（Ｙ）とは、人の脚を意味し、一般に、骨盤部（Ｙ１）、上腿部（Ｙ２）、下腿部（Ｙ３）及び足部（Ｙ４）で構成される。
なお、下肢衣類（Ｚ）は、タイツ、ソックス、ストッキング、レギンス、トレンカ又はスパッツ等でも良い。
また、衣類（Ｚ）は、下肢衣類に限定されず、ブラウス、ズボン（パンツ）、シャツ（Ｔシャツ等）、スカート、ワンピース、ドレス、ネクタイ、エプロン、着物等の被服全般を意味する。
【００２７】
以下、アクセサリ（７）をパンティーストッキング（Ｚ：下肢衣類）に取付ける場合について説明する。
【００２８】
図１において、第１取付具（１）の丸ゴム紐（３）は、パンティーストッキング（Ｚ：下肢衣類）の繊維生地（Ｚａ）の裏面（Ｚ２）に配置する。
このとき、丸ゴム紐（３）は、図４に示すように、柔軟性弾性素材で形成されるので、任意の曲線形状に変形でき、例えば、「く字曲線形状」に変形して、繊維生地（Ｚａ）の裏面（Ｚ２）に配置する。
また、丸ゴム紐（３）の軸長：Ｌ１は、鋏等で切断することで調整する［但し、丸ゴム紐（３）の軸長：Ｌ１は第１取付具（２）を配置できる軸長とする。］。
【００２９】
続いて、丸ゴム紐（３）外周（３ａ）を繊維生地（Ｚａ）の裏面（Ｚ１）に当接して、丸ゴム紐（３）外周（３ａ）を繊維生地（Ｚａ）で被覆する［図４（ｂ）参照］。
これにより、第１取付具（１）は、丸ゴム紐（３）外周（３ａ）を繊維生地（Ｚａ）で被覆して被覆繊維生地部分（Ｚａｐ）を形成する。
【００３０】
図１及び図５において、第２取付具（２）は、被覆繊維生地部分（Ｚａｐ）の表面（Ｚ１）に配置する。
このとき、押付部材（５）は、装着溝穴（６）の開口溝穴（６Ｂ）を被覆繊維生地部分（Ｚａｐ）、及び被覆繊維生地部分（Ｚａｐ）で被覆した丸ゴム紐（３）外周（３ａ）に対峙させる［図５（ａ）参照］。
【００３１】
続いて、押付部材（５）の側端（５ｃ）を、被覆繊維生地部分（Ｚａｐ）、及び被覆繊維生地部分（Ｚａｐ）で被覆した丸ゴム紐（３）外周（３ａ）に押付け、被覆繊維生地部分（Ｚａｐ）及び被覆繊維生地部分（Ｚａｐ）で被覆した丸ゴム紐（３）を装着溝穴（６）内に装着する［図５（ｂ）及び図５（ｃ）参照］。
このとき、被覆繊維生地部分（Ｚａｐ）で被覆した丸ゴム紐（３）は、開口溝穴（６Ｂ）の各保持突起（５Ａ）、（５Ａ）に当接し、各保持突起（５Ａ）、（５Ａ）を相互に離間する方向（Ｆ）に弾性変形し、開口溝穴（６Ｂ）を拡張する。
また、各保持突起（５Ａ）、（５Ａ）は、被覆繊維生地部分（Ｚａｐ）を通して丸ゴム紐（３）外周（３ａ）に当接し、丸ゴム紐（３）を弾性変形（縮小）する。
これにより、被覆繊維生地部分（Ｚａ１）で被覆した丸ゴム紐（３）は、弾性変形しつつ装着溝穴（６）の開口溝穴（６Ｂ）を拡張し、被覆繊維生地部分（Ｚａｐ）及び被覆繊維生地部分（Ｚａｐ）で被覆した丸ゴム紐（３）は、装着溝穴（６）の開口溝穴（６Ｂ）を通して円形溝穴（６Ａ）内に装着される［図５（ｃ）参照］。
また、第２取付具（２）において、押付部材（５）は、図６に示すように、軸長：Ｈ２に渡って被覆繊維生地部分（Ｚａｐ）で被覆した丸ゴム紐（３）を装着溝穴（６）内に装着する。
【００３２】
そして、被覆繊維生地部分（Ｚａｐ）、及び被覆繊維生地部分（Ｚａｐ）で被覆した丸ゴム紐（３）を装着溝穴（６）内に装着すると、押付部材（５）の各保持突起（５Ａ）、（５Ａ）及び丸ゴム紐（３）は、元の状態に復元（略復元）する。
被覆繊維生地部分（Ｚａｐ）は、図５（ｃ）に示すように、装着溝穴（６）内において、例えば押付部材（５）の付勢力（ｆ：バネ力）で丸ゴム紐（３）外周（３ａ）に付勢される。
また、被覆繊維生地部分（Ｚａｐ）、及び被覆繊維生地部分（Ｚｐａ）で被覆した丸ゴム紐（３）は、装着溝穴（６）の円形溝穴（６Ａ）内において、押付部材（５）の各保持突起（５Ａ）、（５Ａ）に当接し、各保持突起（５Ａ）、（５Ａ）で取外自在に保持される。
これにより、第１取付具（１）、及び第２取付具（２）は、図５（ｃ）に示すように、装着溝穴（６）内において、丸ゴム紐（３）外周（３ａ）及び押付部材（５）で被覆繊維生地（Ｚａｐ）を挟み込んで、アクセサリ（７）をパンティーストッキング（Ｚ：下肢衣類）の表面（Ｚ１）に取付ける（図９参照）。
このとき、第２取付具（２）において、アクセサリ（５）は、丸ゴム紐（３）の曲線形状（例えば、「く形曲線形状」）の任意の位置に取付けることができる。
【００３３】
図５及び図６において、アクセサリ（７）の取外は、被覆繊維生地部分（Ｚａｐ）で被覆した丸ゴム紐（３）を押え、第２取付具（２）を丸ゴム紐（３）から離間する方向へ引っ張る。
これにより、被覆繊維生地部分（Ｚａｐ）及び被覆繊維生地部分（Ｚａｐ）で被覆した丸ゴム紐（３）は、押付部材（５）の各保持突起（５Ａ）、（５Ａ）を弾性変形しつつ開口溝穴（６Ｂ）を拡張するので、押付部材（５）の装着溝穴（６）内から抜出される。
【００３４】
このように、本考案に係るアクセサリ取付装置（Ｘ）では、被覆繊維生地部分（Ｚａｐ）で被覆した丸ゴム紐（３）外周（３ａ）を第２取付具（２）の装着溝穴（６）内に装着するだけで、アクセサリ（７）をパンティーストッキング（Ｚ：下肢衣類）に取付けることができ、アクセサリ（７）の取付は簡単となる。
また、第１取付具（１）の軸部材（３）を柔軟性弾性素材で形成することで、軸部材（３）を任意の曲線形状に変形して繊維生地（Ｚａ）の裏面（Ｚ２）に配置できるので、アクセサリ（７）は軸部材（３）内において、パンティーストッキング（Ｚ：下肢衣類）の任意の位置に取付けることが可能となる。
更に、アクセサリ（７）は、押付部材（５）の各保持突起（５Ａ）、（５Ａ）によって被覆繊維生地部分（Ｚａｐ）で被覆した丸ゴム紐（３）を保持するので、パンティーストッキング（Ｚ：下肢衣類）から容易に外れない。
【００３５】
本考案に係るアクセサリ取付装置（Ｘ）では、図７に示すように、複数のアクセサリ（７）をパンティーストッキング（Ｚ：下肢衣類）に取付けることもできる。
なお、図７において、図１乃至図６と同一符号は、同一構成又は同一部材を示すので、その詳細な説明は省力する。
【００３６】
図７において、第２取付具（２）は、複数で構成され、図１及び図３と同様、押付部材（５）、装着溝穴（６）及びアクセサリ（７）を有する。
【００３７】
第１取付具（１）の丸ゴム紐（３）は、図４で説明したと同様として、任意の曲線形状（例えば、「く字曲線形状」）に変形して、繊維生地（Ｚａ）の裏面（Ｚ２）に配置する。このとき、丸ゴム紐（３）の軸長：Ｌ１は、複数の第２取付具（２）を配置できるように調整する。
続いて、複数の第２取付具（２）、（２）、（２）は、図１、図４乃至図６と同様に、被覆繊維生地部分（Ｚａｐ）の表面（Ｚ１）に配置する。
また、各第２取付具（２）、（２）、（２）は、図７に示すように、被覆繊維生地部分（Ｚａｐ）の表面（Ｚ１）に配置し、被覆繊維生地部分（Ｚａｐ）で被覆した丸ゴム紐（３）に沿って配置する。
【００３８】
そして、図５で説明したと同様として、被覆繊維生地部分（Ｚａｐ）、及び被覆繊維部分（Ｚａｐ）で被覆した丸ゴム紐（３）を各第２取付具（２）、（２）、（２）の装着溝穴（６）内に装着する。
これにより、第１取付具（１）、及び複数の第２取付具（２）、（２）、（２）は、丸ゴム紐（３）及び各押付部材（５）、（５）、（５）で被覆繊維生地部分（Ｚａｐ）を挟み込んで、複数のアクセサリ（７）、（７）、（７）をパンティーストッキング（Ｚ：下肢衣類）の表面（Ｚ１）に取付ける。
【００３９】
本考案に係るアクセサリ取付装置（Ｘ）では、図７に示すように、軸部材（３）の軸長：Ｌ１を調整することで、複数のアクセサリ（７）をパンティーストッキング（Ｚ：下肢衣類）の表面（Ｚ１）に取付けることができ、複数のアクセサリ（７）でパンティーストッキング（Ｚ：下肢衣類）の装飾効果を高めることができる。
また、軸部材（３）を柔軟性弾性素材で形成すると、軸部材（３）は任意の曲線形状に変形できるので、複数のアクセサリ（７）を軸部材（３）の曲線形状に沿ってパンティーストッキング（Ｚ：下肢衣類）の表面（Ｚ１）に取付けることができ、アクセサリ（７）の軸部材３の曲線形状に沿った配列／配置によってパンティーストッキング（Ｚ：下肢衣類）の更なる装飾効果を高めることが可能となる。
【００４０】
本考案に係るアクセサリ取付装置（Ｘ）では、図８に示すように、軸部材（３）を円環状、星型環状等の環状形状、又十字形状等（以下、「環状形状、十字形状」を「環状形状等」と称する）にすることができる。
アクセサリ（７）の取付は、図４乃至図７で説明したと同様として、円環形状等の軸部材（３）を繊維生地（Ｚａ）の裏面（Ｚ２）に配置し、円環形状等の軸部材（３）外周（３ａ）を繊維生地（Ｚａ）で被覆して被覆繊維生地（Ｚａｐ）を形成する。
続いて、１又は複数の第２取付具（２）を被覆繊維生地部分（Ｚａｐ）の表面（Ｚ１）に配置し、１又は複数の第２取付具（２）の装着溝穴（６）内に、被覆繊維生地部分（Ｚａｐ）及び被覆繊維生地部分（Ｚａｐ）で被覆した環状形状等の軸部材（３）を装着する。
これにより、複数のアクセサリ（７）は、軸部材（３）に沿って円環状、星型環状又は十字状に配列／配置して、パンティーストッキング（Ｚ：下肢衣類）に取付けることができる。
【００４１】
本考案に係るアクセサリ取付装置（Ｘ）では、軸部材（３）を柔軟性弾性素材で形成する構成に限定されず、任意の曲線形状に変形できない、弾性素材で形成する構成も採用できる。
また、軸部材（３）の断面形状は、円形に限定されず、三角形を含む多角形にする構成も採用でき、装着溝穴（６）の形状も多角形穴とすることもできる。
更に、軸部材（３）は、丸ゴム紐に限定されず、例えば金属の心線材を樹脂で被覆する構成であっても良く、心線材を変形することで、軸部材を任意の曲線形状に形成できる。
【産業上の利用可能性】
【００４２】
本考案は、アクセサリ（装飾品）を衣類に取付けるのに好適である。
【符号の説明】
【００４３】
Ｘ  アクセサリ取付装置
１  第１取付具（雄側取付具）
２  第２取付具（雌側取付具）
３  軸部材（丸ゴム紐）
５  押付部材
６  装着溝穴
【図１】
0003176650.tif 000003
【図２】
0003176650.tif 000004
【図３】
0003176650.tif 000005
【図４】
0003176650.tif 000006
【図５】
0003176650.tif 000007
【図６】
0003176650.tif 000008
【図７】
0003176650.tif 000009
【図８】
0003176650.tif 000010
【図９】
0003176650.tif 000011